(57)【特許請求の範囲】
【請求項１】
外枠とこの外枠の内側に設けられる格子状体とからなる格子状枠組体の少なくとも片面に、防止板外枠とこの防止板外枠の内側に設けられる防止板本体とからなる足掛け防止板が取り付けられている足掛け防止板付き格子状枠組体であって、
前記防止板外枠に、面内側に向けて開口する溝が形成され、この溝内に、前記防止板本体とスペーサとが挿入されているとともに、前記防止板外枠に、前記スペーサに前記溝の開口側から当接してこのスペーサが前記溝からの抜け出るのを阻止する抜け止め部材が固定されていることを特徴とする足掛け防止板付き格子状枠組体。
【請求項２】
外枠とこの外枠の内側に設けられる格子状体とからなる格子状枠組体の少なくとも片面に、防止板外枠とこの防止板外枠の内側に設けられる防止板本体とからなる足掛け防止板が取り付けられている足掛け防止板付き格子状枠組体であって、
前記防止板外枠に、面内側に向けて開口する溝が形成され、この溝内に、前記防止板本体とスペーサとが挿入されているとともに、
前記外枠に、前記スペーサに前記溝の開口側から当接してこのスペーサが前記溝からの抜け出るのを阻止し、かつ前記防止板外枠を押えてこの防止板外枠を前記格子状枠組体に取り付ける抜け止め部材が固定されていることを特徴とする足掛け防止板付き格子状枠組体。
【請求項３】
前記スペーサおよび前記防止板外枠には、互いに係合して前記スペーサが前記溝から抜け出るのを阻止する係合部が設けられていることを特徴とする請求項１または請求項２に記載の足掛け防止板付き格子状枠組体。
【発明の詳細な説明】
【０００１】
【発明の属する技術分野】
本発明は、格子状枠組体に足掛け防止板が取り付けられている足掛け防止板付き格子状枠組体に関する。
【０００２】
【従来の技術】
従来から、面格子や手すり用格子などの仕切り体として、外枠とこの外枠の内側に設けられる格子状体とからなる格子状枠組体が用いられている。このような格子状枠組体においては、子供などが格子状体に足をかけて格子状枠組体を乗ったり、あるいは乗り越える虞があるため、足掛け防止板が取り付けられることがある。
【０００３】
この足掛け防止板付き格子状枠組体としては、従来から、格子状枠組体に、防止板外枠とこの防止板外枠の内側に設けられる防止板本体とからなる足掛け防止板が取り付けられているものが知られている。
そして、従来、足掛け防止板は、防止板外枠に面内側に向けて開口する溝が形成され、この溝内に防止板本体とスペーサとが挿入されているとともに、スペーサおよび防止板外枠に形成された係合部が互いに係合され、これにより防止板外枠と防止板本体とが一体化されている。この足掛け防止板は、防止板外枠が格子状枠組体の外枠に固定された押え金具により押えられることにより、格子状枠組体に取り付けられている。
【０００４】
【発明が解決しようとする課題】
このように、この従来の足掛け防止板付き格子状枠組体にあっては、スペーサおよび防止板外枠に形成された係合部が互いに係合されて、スペーサが防止板外枠の溝から抜け出るのを阻止され、このスペーサと防止板外枠の壁との間に防止板本体が挟まれて、防止板本体が防止板外枠の溝内に固定されている。
しかしながら、例えば、風等によって防止板本体に大きな力が作用すると、スペーサと防止板外枠との係合が外れて、スペーサが防止板外枠から抜け出てしまい、そのため防止板本体が防止板外枠から外れてしまう虞がある。
【０００５】
本発明は、上記事情に鑑みて為されたもので、スペーサが防止板外枠から抜け出るのをより確実に阻止することができて、防止板本体が防止板外枠から外れるのをより確実に阻止することができる足掛け防止板を備えた足掛け防止板付き格子状枠組体を提供することを目的とする。
また、本発明は、スペーサが防止板外枠から抜け出るのをより確実に阻止することができて、防止板本体が防止板外枠から外れるのをより確実に阻止することができる足掛け防止板を備えているとともに、構成部品を低減することができる足掛け防止板付き格子状枠組体を提供することを目的とする。
【０００６】
【課題を解決するための手段】
上記目的を達成するために、請求項１に記載の足掛け防止板付き格子状枠組体は、外枠とこの外枠の内側に設けられる格子状体とからなる格子状枠組体の少なくとも片面に、防止板外枠とこの防止板外枠の内側に設けられる防止板本体とからなる足掛け防止板が取り付けられている足掛け防止板付き格子状枠組体であって、前記防止板外枠に、面内側に向けて開口する溝が形成され、この溝内に、前記防止板本体とスペーサとが挿入されているとともに、前記防止板外枠に、前記スペーサに前記溝の開口側から当接してこのスペーサが前記溝からの抜け出るのを阻止する抜け止め部材が固定されていることを特徴とする。
【０００７】
請求項１に記載の発明においては、スペーサに防止板外枠の溝の開口側から抜け止め部材が当接されて、スペーサの溝からの抜け止めが為されているので、スペーサが防止板外枠から抜け出るのをより確実に阻止することができ、その結果防止板本体が防止板外枠から外れるのをより確実に阻止することができる。
【０００８】
請求項２に記載の足掛け防止板付き格子状枠組体は、外枠とこの外枠の内側に設けられる格子状体とからなる格子状枠組体の少なくとも片面に、防止板外枠とこの防止板外枠の内側に設けられる防止板本体とからなる足掛け防止板が取り付けられている足掛け防止板付き格子状枠組体であって、前記防止板外枠に、面内側に向けて開口する溝が形成され、この溝内に、前記防止板本体とスペーサとが挿入されているとともに、前記外枠に、前記スペーサに前記溝の開口側から当接してこのスペーサが前記溝からの抜け出るのを阻止し、かつ前記防止板外枠を押えてこの防止板外枠を前記格子状枠組体に取り付ける抜け止め部材が固定されていることを特徴とする。
【０００９】
請求項２に記載の発明においては、スペーサに防止板外枠の溝の開口側から抜け止め部材が当接されて、スペーサの溝からの抜け止めが為されているので、スペーサが防止板外枠から抜け出るのをより確実に阻止することができ、その結果防止板本体が防止板外枠から外れるのをより確実に阻止することができる。また、この抜け止め部材が、防止板外枠を押えて、防止板外枠を格子状枠組体に取り付ける取付部材も兼ねているので、構成部品を低減することができ、これにより製造コストの低減および組み立て工数の低減を図ることができる。
【００１０】
請求項３に記載の足掛け防止板付き格子状枠組体は、請求項１または請求項２に記載の発明において、前記スペーサおよび前記防止板外枠には、互いに係合して前記スペーサが前記溝から抜け出るのを阻止する係合部が設けられていることを特徴とする。
【００１１】
請求項３に記載の発明においては、抜け止め部材の他に、スペーサおよび防止板外枠の係合部によっても、スペーサが防止板外枠から抜け出るのを阻止されているので、スペーサが防止板外枠から抜け出るのをさらに確実に阻止することができ、したがって防止板本体が防止板外枠から外れるのをさらに確実に阻止することができる。
【００１２】
【発明の実施の形態】
以下、本発明の実施の形態を図面を参照して説明する。
図１は、本発明の実施の形態に係る足掛け防止板付き格子状枠組体を示す縦断面図であり、図２は、図１のＡ矢視図であり、図３は、格子状枠組体および足掛け防止板の分解斜視図である。
これらの図において、符号１は、格子状枠組体であって、この格子状枠組体１は、四角枠状の外枠２と、この外枠２の内側に設けられるヒシクロス格子や縦格子あるいは横格子等の格子状体３とからなる。外枠２は、面内側に向けて開口する断面形状が略コ字状の格子状体挿入部２１と、この格子状体挿入部２１と反対側に開口部を有するリップ付き溝形鋼状の形状をしたブラケット取付部２２とを備えている。格子状体３の外周部は、格子状体挿入部２１の溝２３内に挿入され、ビス等により固定されている。
【００１３】
一方、足掛け防止板４は、四角枠状の防止板外枠５と、この防止板外枠５の内側に設けられる四角状のネット（網状体）からなる防止板本体６とからなる。防止板外枠５は、面内側（内周側）に向けて開口する断面形状が略コ字状の防止板本体挿入部５１と、この防止板本体挿入部５１と反対側（外周側）に開口部を有するリップ付き溝形鋼状の形状をした外周部５２とを備えている。防止板本体挿入部５１の表面側（格子状体３と反対側）の壁の内面には、防止板本体挿入部５１が延びている方向に沿って延びる凹条および凸条からなる係合部５３が形成されている。
【００１４】
防止板外枠５の防止板本体挿入部５１の溝５４内には、格子状体３側に、防止板本体６の外周部が挿入されているとともに、表面側に、スペーサ７が配置されている。このスペーサ７は、図４乃至図６に示すように、平面視において概略短冊状に形成されたもので、長手方向に沿って延びる凹条および凸条からなる係合部７１が形成されている。また、スペーサ７の幅方向の一方の端部には、長手方向に沿って延びるとともに、厚さ方向に突出する折曲部７２が形成されている。また、スペーサ７には、折曲部７２が突出する方向と反対側の面に複数個の板状の突起部７３が形成されている。
【００１５】
スペーサ７は、係合部７１が防止板外枠５の防止板本体挿入部５１の係合部５３に係合されており、これによりスペーサ７が防止板本体挿入部５１の溝５４から抜け出るのを阻止されている。また、スペーサ７の突起部７３は、格子状体３の外周部に当接されている。また、スペーサ７の折曲部７２は、防止板本体挿入部５１の溝５４から外に突出され、防止板本体挿入部５１の表面側（格子状体３と反対側）の壁の端面に当接されている。スペーサ７の折曲部７２の厚さ方向の端面は、防止板本体挿入部５１の表面側（格子状体３と反対側）の壁の表面と略面一にされている。
【００１６】
このように、このスペーサ７が防止板外枠５の防止板本体挿入部５１の溝５４から抜け出るのを阻止され、このスペーサ７と防止板外枠５の格子状体３側の壁との間に、防止板本体６の外周部が挟まれて、防止板本体６の外周部が防止板外枠５の防止板本体挿入部５１の溝５４内に固定されており、これにより防止板外枠５と防止板本体６とが一体化された足掛け防止板４が組み立てられている。
この足掛け防止板４は、防止板本体６が格子状体３側に位置するようにされて、格子状枠組体１の外枠２の内側に配置されている。足掛け防止板４の防止板外枠５は、格子状枠組体１の格子状体３に当接されている。
【００１７】
また、上記外枠２のブラケット取付部２２には、ブラケット（抜け止め部材）８が固定されている。このブラケット８は、図７に示すように、板材を折り曲げて断面形状が概略鉤形に形成されたもので、取り付け用の長穴８１が形成された固定部８２と、この固定部８２に連続して形成され、固定部８２と若干段差がある押え部８３と、この押え部８３の端から略直角に折曲された折曲部８４とを備えている。このブラケット８は、固定部８２が外枠２のブラケット取付部２２の外側に配置される一方、ブラッケット取付部２２の内部に雌ねじが形成された裏板９が配置され、固定部８２の長穴８１にボルト１００が挿通され、さらにこのボルト１００がブラケット取付部２２の開口部に挿通されて、裏板９の雌ねじにねじ込まれて、固定部８２がブラケット取付部２２とボルト１００の頭部とで固定部８２に挟持されることにより、外枠２のブラケット取付部２２に取り付けられている。
なお、裏板９には、Ｕ字状に折り返された係止部９１が設けられており、この係止部９１がブラケット８の固定部８２の端部に引っ掛かるようにして、これら裏板９と固定部８２が互いに固定されている。
【００１８】
ブラケット８の押え部８３は、足掛け防止板４の防止板外枠５を格子状枠組体１の格子状体３に押し付けている。またブラケット８の折曲部８４は、スペーサ７の折曲部７２の幅方向の端面に、防止板本体挿入部５１の溝５４の開口側から当接されており、これによりスペーサ７が防止板本体挿入部５１の溝５４から抜け出るのを阻止されている。
【００１９】
このように構成された足掛け防止板付き格子状枠組体は、図２に示すように、ブラケット１１０によりベランダの躯体などに取り付けられる。図８は、上面に手すり１１５が取り付けられた躯体１２０の切り欠き部１３０に、格子状枠組体１がブラケット１１０により取り付けられているベランダを示す図であるが、このベランダに設置されている格子状枠組体１に、足掛け防止板４を追加して設置し、足掛け防止板付き格子状枠組体とすることもできる。なお、図８では、格子状体３としてヒシクロス格子の場合を図示したが、格子状体３としてはこの他に、例えば、図９に示すように、縦横格子や、図１０に示すように、横格子や、あるいは図示しないが縦格子やパンチング等を採用することもできる。
【００２０】
上記のように構成された足掛け防止板付き格子状枠組体にあっては、スペーサ７の係合部７１が防止板外枠５の防止板本体挿入部５１の係合部５３に係合され、さらにブラケット８の折曲部８４がスペーサ７の折曲部７２の幅方向の端面に、防止板本体挿入部５１の溝５４の開口側から当接されているので、スペーサ７が防止板本体挿入部５１の溝５４から抜け出るのをより確実に阻止することができ、したがって防止板本体６が防止板外枠５の防止板本体挿入部５１の溝５４から外れるのをより確実に阻止することができる。
また、ブラケット８の押え部８３が、足掛け防止板４の防止板外枠５を格子状枠組体１の格子状体３に押し付けているので、ブラケット８が防止板外枠５を格子状枠組体１に取り付ける取付部材も兼ねているため、構成部品を低減することができ、したがって製造コストの低減および組み立て工数の低減を図ることができる。
【００２１】
なお、上記実施の形態では、ブラケット８を外枠２に固定するようにしたが、これに代えて、図１１に示すように、防止板外枠５にブラケット（抜け止め部材）８をボルト１００により固定するようにしてもよい。この場合には、このブラケット８が防止板外枠５を格子状枠組体１に取り付ける取付部材を兼用することはできないので、他の固定手段を用いて防止板外枠５を格子状枠組体１に取り付ける必要があるが、しかしブラケット８の折曲部８４がスペーサ７の折曲部７２の幅方向の端面に、防止板本体挿入部５１の溝５４の開口側から当接する構成をこのブラケットが備えていれば、スペーサ７が防止板本体挿入部５１の溝５４から抜け出るのをより確実に阻止することはできる。なお、図１１において、ブラケット８の固定部８２は省略することもできる。
【００２２】
また、上記実施の形態では、スペーサ７の係合部７１が防止板外枠５の防止板本体挿入部５１の係合部５３に係合されるようにしたが、この係合構造を省略することもできる。
また、上記実施の形態において、足掛け防止板４を格子状枠組体１により強固に固定するために、足掛け防止板４の防止板本体６を格子状枠組体１の格子状体３にビス等の締着具により固定するようにしてもよい。
【００２３】
また、外枠２の構成としては、角部を合成樹脂により連結するようにしてもよいし、あるいは形材を上下左右に配置してこれらを固定するようにしてもよく、外枠は種々の構成を採用することができる。
また、上記実施の形態では、１つの格子状枠組体１に１つの足掛け防止板４を取り付けるようにしたが、１つの１つの格子状枠組体１に複数個の足掛け防止板４を取り付けるようにしてもよいし、あるいは格子状枠組体１の一部の部分に足掛け防止板を取り付けようにしてもよい。
【００２４】
また、上記実施の形態において、ブラケット８は上下２ヵ所に取り付けるようにしてもよいし、あるいは左右２ヵ所に取り付けるようにしてもよく、要は必要に応じて使用する個数を選択すればよい。
また、ブラケット８を取り付けるボルト１００等は、必要に応じて、面から突出しないようにしたり、装飾を施したりすることもできる。
【００２５】
また、本発明に係る足掛け防止板は、予め格子状枠組体に取り付けておくこともできるし、あるいは既に設置されている格子状枠組体に後から取り付けることもできる。
また、本発明に係る足掛け防止板付き格子状枠組体は、格子状体に足をかけてのってしまう虞のある格子状枠組体に広く適用することができ、例えば、躯体くり抜きタイプのベランダ、あるいは作り付けのバルコニ、あるいはベランダ手すりや門扉・フェンスなどにも適用することができる。
また、足掛け防止板は、格子状枠組体に足をかけてのってしまう虞のある側に設けるようにする。例えば、ベランダであれば、格子状枠組体の室内側の面に設ける。格子状枠組体の両側から乗る虞があれば、両側に設けるようにしてもよい。
【００２６】
【発明の効果】
以上説明したように、請求項１に記載の足掛け防止板付き格子状枠組体によれば、スペーサに防止板外枠の溝の開口側から抜け止め部材が当接して、スペーサが溝から抜け出さないようにしているので、スペーサが防止板外枠から抜け出るのをより確実に阻止することができ、したがって防止板本体が防止板外枠から外れるのをより確実に阻止することができる。
【００２７】
請求項２に記載の足掛け防止板付き格子状枠組体によれば、スペーサに防止板外枠の溝の開口側から抜け止め部材が当接して、スペーサが溝から抜け出さないようにしているので、スペーサが防止板外枠から抜け出るのをより確実に阻止することができ、したがって防止板本体が防止板外枠から外れるのをより確実に阻止することができる。さらに、本発明に係る抜け止め部材が、防止板外枠を押えて、防止板外枠を格子状枠組体に取り付ける取付部材も兼ねているので、構成部品を低減することができ、したがって製造コストを低減することができるとともに、組み立て工数を低減することができる。
【００２８】
請求項３に記載の足掛け防止板付き格子状枠組体によれば、請求項１または請求項２に記載の発明と同様の効果を得ることができるとともに、さらに抜け止め部材の他に、スペーサおよび防止板外枠の係合部によっても、スペーサが防止板外枠から抜け出るのを阻止しているので、スペーサが防止板外枠から抜け出るのをさらに確実に阻止することができ、したがって防止板本体が防止板外枠から外れるのをさらに確実に阻止することができる。
【図面の簡単な説明】
【図１】本発明の実施の形態に係る足掛け防止板付き格子状枠組体の断面図である。
【図２】図１のＡ矢視図である。
【図３】格子状枠組体および足掛け防止板の分解斜視図である。
【図４】スペーサの平面図である。
【図５】図４のＢ矢視図である。
【図６】図４のＣ−Ｃ線に沿う断面図である。
【図７】ブラケットを示す図であって、（ａ）は断面図、（ｂ）は底面図である。
【図８】格子状枠組体の取付状態の一例を示す正面図である。
【図９】図８において、他の種類の格子状体を用いた場合を示す図である。
【図１０】図８において、さらに他の種類の格子状体を用いた場合を示す図である。
【図１１】防止板外枠にブラケット（抜け止め部材）を固定する場合の足掛け防止板付き格子状枠組体の断面図である。
【符号の説明】
１    格子状枠組体
２    外枠
３    格子状体
４    足掛け防止板
５    防止板外枠
６    防止板本体
７    スペーサ
８    ブラケット（抜け止め部材）
５３  係合部
５４  溝
７１  係合部
【図１】
0003818917.tif 000002
【図２】
0003818917.tif 000003
【図３】
0003818917.tif 000004
【図４】
0003818917.tif 000005
【図５】
0003818917.tif 000006
【図６】
0003818917.tif 000007
【図７】
0003818917.tif 000008
【図８】
0003818917.tif 000009
【図９】
0003818917.tif 000010
【図１０】
0003818917.tif 000011
【図１１】
0003818917.tif 000012